(57)【要約】少なくとも一種の液体を排出させる装置および方法に関する。受領部は第１導液管と第２導液管とを含んでいる。噴出部は噴出面を含んでおり、複数の第１噴出穴と複数の第２噴出穴とを含んでいる。複数の第１噴出穴のそれぞれの開口部は複数の第２噴出穴のそれぞれの開口部よりも小さい。第１導液管は複数の第１噴出穴から噴出させる水を供給するように連結されており、第２導液管は複数の第２噴出穴から噴出させる水または石鹸水溶液の一方を供給するように連結されている。【選択図】図５
2009540925.tif 000002
【特許請求の範囲】
【請求項１】
水、石鹸液またはこれらの混合物を噴出するための装置であって、
第１導液管と第２導液管とを含む受領部と、
噴出面を含む噴出部と、を備えており、
前記噴出面は複数の第１噴出穴と複数の第２噴出穴とを備えており、前記複数の第１噴出穴におけるほぼ全ての開口部は、複数の前記第２噴出穴におけるそれぞれの開口部よりも小さく、前記第１導液管は、前記複数の第１噴出穴から噴出させる水を供給するように連結されており、前記第２導液管は、前記複数の第２噴出穴から噴出させる水または石鹸水溶液の一方を供給するように連結されていることを特徴とする装置。
【請求項２】
容器と、
前記容器に連結された第１端と前記受領部に連結された第２端とを有する鞘と、
をさらに備えていることを特徴とする請求項１に記載の装置。
【請求項３】
第１導路と第２導路を更に備え、前記第１導路及び前記第２導路の各々が、それぞれ前記第１端と前記第２端との間に延びていることを特徴とする請求項２に記載の装置。
【請求項４】
前記容器は、水源に連結できる第１分室と、前記水源に連結でき、石鹸をその中に受けることができる第２分室と、を備えていることを特徴とする請求項３に記載の装置。
【請求項５】
前記第２分室は石鹸と混合する水を受けることができ、前記第１導路は前記第１分室から水を受けるように連結されており、前記第２導路は前記第２分室から石鹸水溶液を受けるように連結されていることを特徴とする請求項４に記載の装置。
【請求項６】
前記第１導路を前記第１導液管に、前記第２導路を前記第２導液管に選択的に連結するための第１バルブをさらに備えていることを特徴とする請求項５に記載の装置。
【請求項７】
前記第１バルブは、前記第１導路を前記第１導液管と前記第２導液管とに連結する第１位置と、前記第２導路を前記第２導液管に連結する第２位置と、前記第１導路を前記第１導液管に、前記第２導路を前記第２導液管にそれぞれ連結する第３位置との間で移動可能であることを特徴とする請求項６に記載の装置。
【請求項８】
前記第１バルブを前記第１位置に配置するための第１液流選択部と、
前記第１バルブを前記第２位置に配置するための第２液流選択部と、
前記第１バルブを前記第３位置に配置するための第３液流選択部と、
をさらに備えていることを特徴とする請求項７に記載の装置。
【請求項９】
前記第１バルブを操作するための、前記第１液流選択部、前記第２液流選択部および前記第３液流選択部に連結された操作収容部をさらに備えていることを特徴とする請求項８に記載の装置。
【請求項１０】
前記第１バルブが前記第１位置にあるとき、水が前記第１導液管と前記第２導液管とを通過でき、
前記第１バルブが前記第２位置にあるとき、石鹸水溶液が前記第２導液管を通過でき、
前記第１バルブが前記第３位置にあるとき、水が前記第１導液管を通過でき、石鹸水溶液が前記第２導液管を通過できることを特徴とする請求項８に記載の装置。
【請求項１１】
前記容器は、石鹸水溶液を提供するための石鹸を受けるべく、前記第２分室に設けられた入口ポートをさらに含んでいることを特徴とする請求項５に記載の装置。
【請求項１２】
前記容器は、当該容器を前記水源に取り付け、水流を前記第１分室と前記第２分室の少なくとも一方に方向付けるための第２バルブをさらに含んでいることを特徴とする請求項１０に記載の装置。
【請求項１３】
前記複数の第１噴出穴は、前記噴出面上において、前記複数の第２噴出穴の上方に配置されていることを特徴とする請求項１に記載の装置。
【請求項１４】
前記第１導液管は前記第２導液管よりも大きな径を有していることを特徴とする請求項１に記載の装置。
【請求項１５】
前記第２噴出穴は螺旋形状をなしており、その螺旋の直径は出口位置においてより大きくなっていることを特徴とする請求項１３に記載の装置。
【請求項１６】
前記操作収容部は前記噴出面を備えており、前記液流選択部は複数のボタンを備えており、前記ボタンの１つは石鹸水の流出を制御し、前記ボタンの１つは水の流出を制御し、前記ボタンの１つは水と石鹸水の流出をほぼ同時に制御することを特徴とする請求項８に記載の装置。
【請求項１７】
前記ボタンは異なる形状であることを特徴とする請求項１６に記載の装置。
【請求項１８】
石鹸水の流出を制御する前記ボタンはダイヤ形状であり、
水の流出を制御する前記ボタンと、水と石鹸水との流出をほぼ同時に制御する前記ボタンとは、方形であり、石鹸水の流出を制御する前記ボタンより前記噴出面から離れた位置に設置されていることを特徴とする請求項１７に記載の装置。
【請求項１９】
少なくとも一種の液体を墳出させる方法であって、
第１分室および第２分室に水を受領するために、水源に容器を連結させる動作と、
前記第２分室に石鹸溶液を注入する動作と、
水をシャワーヘッドの複数の第１噴出穴および複数の第２噴出穴から噴出させるべく、前記第１分室から水が流れるのを許容する第１位置に第１バルブを選択的に回動させる動作と、
石鹸水溶液を前記シャワーヘッドの前記複数の第２噴出穴から噴出させるべく、前記第２分室から石鹸水溶液が流れるのを許容する第２位置に前記第１バルブを選択的に回動させる動作と、
水を前記シャワーヘッドの前記複数の第１噴出穴から噴出させるべく、前記第１分室から水が流れるのを許容し、かつ、石鹸水溶液を前記シャワーヘッドの前記複数の第２噴出穴から噴出させるべく、前記第２分室から石鹸水溶液が流れるのを許容する、第３位置に前記第１バルブを選択的に回動させる動作と
を含んでいることを特徴とする方法。
【請求項２０】
選択的に回動させる動作は、
第１位置の液流選択部を選択する動作と、
第２導路を覆うように前記第１バルブを回動させ、第１導液管と第２導液管とを介して水を前記シャワーヘッドの前記複数の第１噴出穴と前記複数の第２噴出穴とから噴出させる動作と、
を含んでいることを特徴とする請求項１９に記載の方法。
【請求項２１】
選択的に回動させる動作は、
第２液流選択部を選択する動作と、
前記第１バルブを回動させ、第２導液管を介して石鹸水溶液を前記シャワーヘッドの前記複数の第２噴出穴から噴出させる動作と、
を含んでいることを特徴とする請求項１９に記載の方法。
【請求項２２】
選択的に回動させる動作は、
第３液流選択部を選択する動作と、
前記第１バルブを回動させ、第１導液管を介して水を前記シャワーヘッドの前記複数の第１噴出穴から噴出させ、第２導液管を介して石鹸水溶液を前記シャワーヘッドの前記複数の第２噴出穴から噴出させる動作と、
を含んでいることを特徴とする請求項１９に記載の方法。
【発明の詳細な説明】
【技術分野】
【０００１】
本発明はシャワーヘッドに関し、特に水と、少なくとも一種の物質とを噴出させることができるシャワーヘッドに関する。
【背景技術】
【０００２】
現在、石鹸水と浄水とを、それぞれ別々の排出穴を有する別々のホースで共通の排出装置に供給するという技術概念は従来技術においても存在する。
【０００３】
ダブルホース型排出器を開示する１特許は米国特許４４６１０５２号（モスツール）であり、２つの導液管を有した洗浄ブラシを開示する。その一方の第１導液管は浄水を提供し、他方の第２導液管は石鹸水を提供する。第２導液管は端部に排出オリフィスを有しており、第１導液管は端部にノズルを有している。しかし、モスツールの噴出器の大きな弱点は洗浄ブラシの排出穴の画一的な配列である。
【０００４】
ダブルホース型排出器を開示する別な米国特許は米国特許６７８６４３１号（ソング）である。ソングの特許は石鹸水タンクを備えた圧力ヘッドと水ノズルを備えた水パイプとを有した自動車用洗浄装置を開示する。ハンドルのスイッチは石鹸水と浄水の排出穴を操作する。モスツールの特許と同様にソングの特許のダブルホース型排出器も排出穴の画一的な配列を提供する。水を通す排出穴は石鹸水が通る排出穴と同じである。
【０００５】
米国特許４１１３１８２号（ブラゴ）は個別の導液管によって混合チャンバに連結された個別の液体源を有したスプレーガン式洗浄システムを開示する。この混合チャンバの排出部はスプレーノズルに連結されている。この装置は液体が流出する単セットの排出穴を含む。この単セットの排出穴は特定の導液管専用とはなっていない。
【先行技術文献】
【特許文献】
【０００６】
【特許文献１】米国特許４４６１０５２号
【特許文献２】米国特許６７８６４３１号
【特許文献３】米国特許４１１３１８２号
【発明の概要】
【発明が解決しようとする課題】
【０００７】
しかしながら、これら装置はそれらの設計目的に対しては適しているかも知れないが、以下で解説する本発明の目的には適さないであろう。
【課題を解決するための手段】
【０００８】
本発明の装置は少なくとも一種の液体を排出あるいは噴出させる。その受領部は第１導液管と第２導液管とを含んでいる。噴出部は噴出面を含む。この噴出面は複数の第１噴出穴と複数の第２噴出穴とを含む。複数の第１噴出穴のそれぞれの径は複数の第２噴出穴のそれぞれの径よりも小さい。第１導液管は複数の第１噴出穴から噴出させる水を供給するように連結されており、第２導液管は複数の第２噴出穴から噴出させる水または石鹸と水の溶液の一方を供給するように連結されている。
【０００９】
本発明の方法は少なくとも一種の液体を噴出させる。容器が水源に連結されており、その第１分室と第２分室とに水を受領する。石鹸溶液は第２分室に注入される。第１バルブが第１位置に選択的に回動され、第１分室からの水をシャワーヘッドの複数の第１噴出穴および複数の第２噴出穴から噴出させる。第１バルブが第２位置へ選択的に回動され、第２分室からの石鹸水をシャワーヘッドの複数の第２噴出穴から噴出させる。第１バルブが第３位置に選択的に回動され、第１分室からの水を複数の第１噴出穴から噴出させ、第２分室からの石鹸水を複数の第２噴出穴から噴出させる。
【００１０】
本発明の目的はダブルホース型シャワーヘッドの提供である。
【００１１】
本発明の別目的は水を運搬する第１ホースと、石鹸および水の溶液を運搬する第２ホースとを有するダブルホース型シャワーヘッドの提供である。
【００１２】
本発明の別目的は、水がその第１分室に収容され、石鹸水をつくる石鹸がその第２分室に収容されている１体型容器を含むダブルホース型シャワーヘッドの提供である。
【００１３】
本発明のさらに別目的は複数の第２噴出穴とは異なるサイズの開口部を有する複数の第１噴出穴がシャワーヘッドの噴出部に提供されているダブルホース型シャワーヘッドの提供である。
【００１４】
本発明のさらに別目的は２セットの複数の噴出穴を有したダブルホース型シャワーヘッドの提供であり、その一方は他方の噴出穴よりも大きく、石鹸水は複数の第１噴出穴と複数の第２噴出穴のうちの相対的に大きな方の噴出穴から噴出される。
【００１５】
本発明のさらに別目的は使用者が複数の第１噴出穴および複数の第２噴出穴から噴出される水、石鹸水あるいはそれら両方を選択するダブルホース型シャワーヘッドの提供である。
【００１６】
さらに、本発明の別目的は石鹸の残留物を完全排出させ、噴出穴の閉塞を防止するダブルホース型シャワーヘッドの提供である。
【００１７】
本発明のさらに完全な理解を助けるため、本発明を例示目的の実施例を図示する添付図面を利用して説明する。
【図面の簡単な説明】
【００１８】
【図１】ダブルホース型シャワーヘッドシステムのシャワーヘッドノズルの噴出面
【図２】ダブルホース型シャワーヘッドシステムのシャワーヘッドの側面図
【図３】シャワーヘッドシステムのダブル導液管ホースとノズルの断面を示す図
【図４】シャワーヘッドシステムのシャワーヘッド内への水の流れを操作するバルブの断面図
【図５】ダブルホース型シャワーヘッドシステムの断面図
【図６】ダブルホース型シャワーヘッドシステムの別実施例の断面を示す図
【図７】ダブルホース型シャワーヘッドシステムの操作を示すフロー図
【図８】浄水と石鹸水との両方の混合流を発生させるダブルホース型シャワーヘッドシステムの操作を示すフロー図
【図９】石鹸水を提供するためのダブルホース型シャワーヘッドシステムの操作を示すフロー図
【図１０】ダブルホース型シャワーヘッドシステムの噴出停止操作を示すフロー図
【発明を実施するための形態】
【００１９】
以下において本発明を説明する。この説明は特定の実施形態に本発明を限定するためのものではない。本技術分野の専門家であれば多数の他の実施形態を着想するであろう。
【００２０】
図面に基づいて本発明を解説する。類似要素には類似番号が付してある。図１から図１０はダブルホース型シャワーヘッドシステム（以降、時に応じて“システム”）１０を図示する。
【００２１】
図１はダブルホース型シャワーヘッドシステム１０のシャワーヘッドノズルの噴出面を図示する。シャワーヘッド１２の噴出面１８が図示されている。噴出面１８は複数の第１噴出穴１４と複数の第２噴出穴１６とを含んでいる。複数の第２噴出穴１６のそれぞれの穴は複数の第１噴出穴１４のそれぞれの穴よりも大きな開口部を有しており、その数は少ない。
【００２２】
図示する複数の第１噴出穴１４の個々の開口部の配置、形状および数と、複数の第２噴出穴１６の個々の開口部の配置、形状および数は本発明の例示のみを目的としている。噴出穴の他の数、形状および配置であっても利用できる。
【００２３】
本例の場合、第１噴出穴１４は典型的なシャワーヘッドの噴出穴の形状、サイズ、形状および配置でよく、第２噴出穴１６は第１噴出穴１４と比較して大幅に大きく、その数は６個である。
【００２４】
これら大きな噴出穴１６のそれぞれを螺旋形状とすることも可能であり、各噴出穴１６に広がった噴出端口を提供して噴出面１８からの排出ポートとすることができる。
【００２５】
図２の実施例で解説するように第１噴出穴１４と第２噴出穴１６の両方から選択時に浄水を噴出させることができる。さらに、石鹸と水との混合溶液（石鹸水溶液）を第２噴出穴１６からのみ噴出させることができる。第１噴出穴１４との比較で大きな第２噴出穴１６の開口部は石鹸残留物を完全に排出させ、第２噴出穴１６の閉塞を防止する。
【００２６】
ノズルの噴出面１８から水と石鹸水を排出させる方法は図２から図８で示す実施例で解説する。開口部は例えば円形である。この場合、大きな開口部（噴出穴１６）を別セットの開口部（噴出穴）１６よりも大きな径とすることができる。
【００２７】
図２はダブルホース型シャワーヘッドシステム１０の側面を示す。ダブルホース型シャワーヘッドシステム１０はホース鞘２６に取り付けられたシャワーヘッド１２を含むことができる。第１導液管２８と第２導液管３０をホース鞘２６内に図３で示すように実質的平行に延びた状態で収容することができる。ホース鞘２６は導液管２８と３０が互いに絡み合わないようにしている。図４で示す実施例では浄水は第１導液管２８を通流し、石鹸水は第２導液管３０を通流する。
【００２８】
シャワーヘッドの噴出面１８は複数の第１噴出穴１４と複数の第２噴出穴１６とを含む。本例のそれぞれの第２噴出穴１６は第１噴出穴１４よりも大きな開口部を有しており、その数は少なく、螺旋形状である。以下で解説するように浄水は第１噴出穴１４と第２噴出穴１６の両方を選択時に通流することができる。石鹸水は第２噴出穴１６のみを通流することができる。第２噴出穴１６の相対的に大きな開口部は石鹸水と石鹸残留物とを完全に排出させ、噴出穴１６の閉塞を防止する。
【００２９】
使用者は複数のボタン２０、２２、２４を押すことで第１噴出穴１４および第１噴出穴１６にどの物質を通流させるかを選択的に決定できる。ボタン２０、２２、２４はシャワーヘッド１２に配置することができる。しかし、これは例示のみであり、ボタン２０、２２、２４を使用者のアクセスが容易な、どこに設置しても構わない。
【００３０】
本例では第１ボタン２０を押すと浄水が第１噴出穴１４と第２噴出穴１６に流れる。あるいは第１噴出穴１４と第２噴出穴１６を通過する浄水をダブルホース型シャワーヘッドシステム１０のデフォルト操作とすることもできる。デフォルト操作中にシャワー利用状態になると、第１ボタン２０が押されていようがいまいが第１噴出穴１４と第２噴出穴１６の両方を浄水が通過する。第２ボタン２２を押すと石鹸水が第２噴出穴１６のみを通過する。第３ボタン２４を押すと浄水が第１噴出穴１４を通過し、同時的に石鹸水が第２噴出穴１６を通過する。
【００３１】
図３はダブルホース型シャワーヘッドシステム１０の断面を示す。ダブルホース型シャワーヘッドシステム１０はホース鞘２６に取り付けられたシャワーヘッド１２を含む。
【００３２】
第１導液管２８はホース鞘２６内で延びている。以下において、図４を利用して詳細に解説するように、第１導液管２８はシャワーヘッド１２内で第１バルブ６４を介して第１導路８４に連結されている。第１導路８４は複数の第１噴出穴１４に連結されている。第２導液管３０はホース鞘２６内で延びている。第２導液管３０はシャワーヘッド１２内で第１バルブ６４を介して第２導路８６に連結されている。
【００３３】
第２導路８６は複数の第２噴出穴１６と連結されている。ホース鞘２６は第１導液管２８と第２導液管３０とが絡み合うことを防止する。以下において、図５の例で解説するように浄水が第１導液管２８を通流し、石鹸水が第２導液管３０を通流する。
【００３４】
図示するように噴出面１８は複数の第１噴出穴１４と複数の第２噴出穴１６とを含む。前述のごとくそれぞれの第２噴出穴１６は第１噴出穴１４よりも大きな開口部を有しており、その数は少ない。浄水は第１噴出穴１４と第２噴出穴１６の両方に選択時に流れることができる。石鹸水は第２噴出穴１６にのみ流れることができる。第２噴出穴１６の大きな開口部は石鹸水の石鹸残留物を完全に排出させ、第２噴出穴１６の閉塞を防止する。
【００３５】
図４は第１導液管２８と第２導液管３０からダブルホース型シャワーヘッドシステム１０のシャワーヘッドへの水流を操作する第１バルブ６４の断面図である。
【００３６】
本例では石鹸水を運搬する導液管３０は浄水を運搬する導液管２８よりも細い。このように導液管３０内の石鹸と水との混合物は他方の導液管２８の水よりも相対的に圧力が高い。第１バルブ６４はホース鞘２６をシャワーヘッド１２に連結する。ホース鞘２６は第１導液管２８と第２導液管３０を収容し、それらが絡み合うことを防止する。
【００３７】
第１導液管２８は第１搬入ポート９４で第１バルブ６４に連結されており、第２導液管３０は第２搬入ポート９６で第１バルブ６４に連結されている。第１バルブ６４は、第１導液管２８と第２導液管３０との間に存在する、可動仕切部９２が取り付けられたヒンジ９０を有する操作具８８を収容する。
【００３８】
第１導路８４は第１搬出ポート９８で第１バルブ６４に連結されており、第２導路８６は第２搬出ポート１００で第１バルブ６４に連結されている。第１搬入ポート９４は第１搬出ポート９８の反対側で整合状態にて第１バルブ６４の一側部に位置しており、第２搬入ポート９６は第２搬出ポート１００の反対側で整合状態にてバルブの一側部に位置している。操作具８８は複数のボタン２０、２２、２４のひとつを押すことで可動仕切部９２の位置を操作することができる。
【００３９】
使用者は以下で解説するようにシャワーヘッド１２に位置する複数のボタン２０、２２、２４のひとつを押すことで第１噴出穴１４と第２噴出穴１６とを通過する物質を選択的に決定することができる。図２で示すようにボタン２０、２２、２４はシャワーヘッド１２の外面に位置する。ボタン２０、２２、２４の配置および形状は自由である。
【００４０】
ここで例示する実施例では石鹸ボタン２２はダイヤ形状であり、他のボタン２２、２４より噴出面１８に近く配置されている。水ボタン２０と混合水ボタン２４はそれぞれ方形であり、噴出面１８から石鹸ボタン２２より離れた位置に設置されている。石鹸ボタン２２の形状および水ボタン２０と混合水ボタン２４の形状の相違は使用中に使用者のボタン選別を助けるであろう。
【００４１】
水ボタン２０を押すと浄水が第１導液管２８を流れ、第１搬入ポート９４を介して第１バルブ６４に流れる。可動仕切部９２は矢印Ａで示す方向にヒンジ９０で移動して第２導液管３０を塞ぎ、浄水を第１導液管から第１搬出ポート９８と第２搬出ポート１００とを介して第１導路８４と第２導路８６との両方に流す。浄水は第１導路８４と第２導路８６から複数の第１噴出穴１４と複数の第２噴出穴１６を通って流れる。
【００４２】
あるいは第１噴出穴１４と第２噴出穴１６を流れる浄水はダブルホース型シャワーヘッドシステム１０のデフォルト操作であってもよい。第１ボタン２０が押されようと押されまいと、デフォルト操作中にシャワーが使用状態にされると可動仕切部９２は第２導液管３０を塞ぎ、第１搬出ポート９８と第２搬出ポート１００とを介して浄水が第１導路８４と第２導路８６とに流れ、第１噴出穴１４と第２噴出穴１６からそれぞれ排出される。
【００４３】
第２ボタンすなわち石鹸ボタン２２を押すと石鹸水が第２導液管３０を流れ、第２搬入ポート９６を介して第１バルブ６４に流入する。可動仕切部９２は垂直に配置されることで、第１バルブ６４を分離して、石鹸水を、第２搬出ポート１００を介して第２導路８６のみに流入させる。石鹸水は第２導路８６から複数の第２噴出穴１６を通って螺旋形状によって生じる回転流となって流れ出る。
【００４４】
第３ボタンすなわち混合水ボタン２４を押すと浄水が第１導液管２８を流れ、第１搬入ポート９４を介して第１バルブ６４に流入し、同時的に石鹸水を第２導液管３０に通過させ、第２搬入ポート９６を介して第１バルブ６４に流入させる。可動仕切部９２は第１バルブ６４内に配置されており、第１バルブ６４を分離して第１搬出ポート９８を介して浄水を第１導路８４のみに流入させ、第２搬出ポート１００を介して石鹸水を第２導路８６のみに流入させる。浄水は第１導路８４から複数の第１噴出穴１４を通過して流れ、石鹸水は第２導路８６から複数の第２噴出穴１６を通過して流れる。
【００４５】
図５はダブルホース型シャワーヘッドシステム１０の断面図である。水パイプ６０がシャワー壁から延びており、その搬入ポート７８にて容器６６と連結している。第２バルブ８２は搬入ポート７８からパイプ６０へと延びており、パイプ６０から搬入ポート７８を通過して容器６６へと進入する水を制御している。
【００４６】
パイプ６０は従来技術のようなＬ型形状でよく、壁（図示せず）から水平に延び出る１本の脚部６１と１本の下方脚部６３とを有している。第２バルブ８２は搬入ポート７８を通る水流を分離するための分離部６５を含むことができる。
【００４７】
支持の目的でシャワー壁にさらに固定できる容器６６は第１分室４４と第２分室４６とを含むことができる。第１分室４４は第２バルブ８２の第１側に連結されており、その中に水を流れ込ませる。第１分室４４は第１導液管２８に連結された排出ポート５４を有することができる。
【００４８】
図示の実施例では第１分室にはパイプ６０からの浄水のみを収容することができる。第２分室４６は第２バルブ８２の第２側に連結されており、その中に水を流れ込ませる。第２分室４６は第２導液管３０に連結された出口ポート５０を有することができる。容器６６もまた第２分室４６へのアクセスを提供するための入口ポート５６を含むことができる。
【００４９】
入口ポート５６はキャップ５８で選択的に覆うことができる。使用者は入口ポート５６を介して第２分室４６に石鹸を入れることができる。この石鹸は少なくとも液体または粉体のいずれかでよい。
【００５０】
図４の例で前述したように、第１導液管２８と第２導液管３０を容器６６とは反対側のそれらの端部でシャワーヘッド１２へ第１バルブ６４を介して連結できる。
【００５１】
シャワーヘッド１２の噴出面１８は複数の第１噴出穴１４と複数の第２噴出穴１６とを含んでいる。ここでは、第２噴出穴１６のそれぞれの穴は第１噴出穴１４のそれぞれの穴よりも大きな開口部を有しており、その数は少ない。
【００５２】
浄水は第１噴出穴１４と第２噴出穴１６の両方を選択時に通流することができる。石鹸水は第２噴出穴１６のみを通流することができる。第２噴出穴１６の相対的に大きな開口部は石鹸水の石鹸残留物を完全に排出させ、噴出穴１６の閉塞を防止する。
【００５３】
使用者は複数のボタン２０、２２、２４のひとつを押すことで第１噴出穴１４と第２噴出穴１６とを通過する物質を選択的に決定することができる。ボタン２０、２２、２４はシャワーヘッド１２の外面に位置する。ダブルホース型シャワーヘッドシステム１０の操作については図４の例で解説した。
【００５４】
非使用時にシャワーヘッド１２を保持するためのシャワーヘッドホルダー６２を容器６６の側部に一体的に取り付けることができる。あるいはホルダー６２をＬ型形状のパイプ６０の下方脚部６３に固定することができ、容器６６はシャワーヘッド１２をパイプ６０のホルダー６２に着脱容易に取り付けできるように設計されている。
【００５５】
図６はダブルホース型シャワーヘッドシステム１０の別実施例の断面を示す図である。このダブルホース型シャワーヘッドシステム１０はホース鞘２６に取り付けられたシャワーヘッド１２を含むことができる。第１導液管２８と第２導液管３０はホース鞘２６内に延びた状態で収容することができる。ホース鞘２６は導液管２８と３０が互いに絡み合わないようにしている。
【００５６】
図４で示す実施例で解説したように、第１導液管２８と第２導液管３０を、対応する第１導路８４と第２導路８６にシャワーヘッド１２内で第１バルブ６４を介して連結させて水を通過させることができる。
【００５７】
噴出面１８はシャワーヘッド１２を覆っている。ここではスポンジ具６８が噴出面１８を覆っている。噴出面１８は複数の第１噴出穴１４と複数の第２噴出穴１６とを含んでいる。ここでは、第２噴出穴１６のそれぞれの穴は第１噴出穴１４のそれぞれの穴よりも大きな開口部を有しており、その数は少ない。
【００５８】
浄水は第１噴出穴１４と第２噴出穴１６の両方を選択時に通流することができ、スポンジ具６８も同様に通流する。石鹸水は第２噴出穴１６を通流することができる。第２噴出穴１６は第１噴出穴１４と比較して大きな開口部を有しており、石鹸残留物を完全に排出させ、第２噴出穴１６の閉塞を防止する。
【００５９】
浄水、石鹸水またはこれらの混合流がスポンジ具６８を通過する際、使用者はスポンジ具６８で皮膚の洗浄および垢こすりをすることができる。
【００６０】
図７はダブルホース型シャワーヘッドシステム１０の操作を示すフロー図である。ステップＳ１００で使用者はシャワーを利用状態にする。ステップＳ１０２で浄水がパイプ６０を通過して第１バルブに流入する。
【００６１】
ステップＳ１０４では、使用者は水のみが噴出する水ボタン２０を押す。ステップＳ１０６が表すように、浄水ボタン２０を押すと浄水がパイプ６０から第２バルブ８２を介して第１分室４４へと流入する。ステップＳ１０８が表すように、浄水は第１分室４４から第１導液管２８へと流入する。ステップＳ１１０が表すように、シャワーヘッド１２の第１バルブ６４は浄水を第１導液管２８から、シャワーヘッド１２の噴出面１８の第１噴出穴１４と第２噴出穴１６の両方に通流させる。
【００６２】
あるいは、ステップＳ１０２で水がパイプ６０から第１バルブへと通流した後、ステップＳ３００で説明するように石鹸水ボタン２２が押されない場合には、前述のようにダブルホース型シャワーヘッドシステム１０はステップＳ１０６へと移行することをデフォルトとすることができ、その後、同じステップを実行する。石鹸水ボタン２２がステップＳ２００で押された場合、後述する図８のステップが続く。
【００６３】
あるいは、ステップＳ１０２で水がパイプ６０を通って第１バルブへと通流した後、ステップＳ３００で混合水ボタン２４が押されない場合には、前述のようにダブルホース型シャワーヘッドシステム１０はステップＳ１０６へと移行することをデフォルトとすることができ、その後、同じステップを実行する。混合水ボタン２４がステップＳ３００で押されると、後述する図９のステップが続く。
【００６４】
図８は図７のステップＳ２００に引き続くステップを説明するダブルホース型シャワーヘッドシステム１０のフロー図である。Ｓ２００で石鹸水ボタン２２が押された後に浄水がパイプ６０から第２分室４６へと流入し、Ｓ２０２が表すように、そこで石鹸と混合される。ステップＳ２０４が表すように、石鹸溶液は第２分室４６から第２導液管３０へと流入する。ステップＳ２０６で、石鹸水はその後、第２導液管３０からシャワーヘッド１２へと流入し、シャワーヘッド１２の噴出面１８内に配置された第２噴出穴１６を通って排出される。
【００６５】
図９は図７のステップＳ３００に引き続くダブルホース型シャワーヘッドシステム１０の操作に含まれるステップを示すフロー図である。ステップＳ３００が表すように混合水ボタン２４を押した後、Ｓ３０２で、浄水がパイプ６０から第１分室４４へと流入する。ステップＳ３０４が表すように第１分室４４からは浄水が第１導液管２８へと流入する。ステップＳ３０６が表すように浄水は第１導液管２８からシャワーヘッド１２を介して通流し、シャワーヘッド１２の噴出面１８内にある第１噴出穴１４から排出される。
【００６６】
ステップＳ３０２、Ｓ３０４およびＳ３０６は、ステップＳ３０３、Ｓ３０５およびＳ３０７と同時に実行される。ステップＳ３０３が表すように浄水は第２分室４６へと流入し、そこで石鹸と混合される。ステップＳ３０５が表すように石鹸溶液は第２分室４６から第２導液管３０に流入する。ステップＳ３０７が表すように石鹸水は第２導液管３０からシャワーヘッド１２へと流入してシャワーヘッド１２の噴出面１８内にある第２噴出穴１６から排出される。
【００６７】
図１０はダブルホース型シャワーヘッドシステム１０の噴出停止プロセスを示すフロー図である。ステップＳ４００で説明するようにシャワーを利用停止状態にする。ステップＳ４０２で第３バルブは第１分室４４内に残った水が第１分室から排出されないようにする。
【００６８】
ステップＳ４０２と同時に実行されるステップＳ４０３で説明するように、第２分室４６内に残った水は第２導液管３０を通ってシャワーヘッド１２の噴出面１８の第２噴出穴１６を通過してダブルホース型シャワーヘッドシステム１０から排出される。
【００６９】
ステップＳ４０４が表すように第１分室４４内に残った水は第１導液管２８へ流入する。シャワーヘッド１２内のバルブは浄水を第１導液管２８から噴出面１８の噴出穴１６へと通流させ、第２噴出穴１６内に蓄積する可能性がある石鹸残留物を除去させる。
【００７０】
ダブルホース型シャワーヘッドシステム１０によって使用者は、複数のボトルを手探ることなくシャンプーとすすぎを２〜３のボタンの操作ですることができる。あるいは少なくとも１つの分室にシャンプーの代わりにボディウォッシュ液を入れることもできる。これは高齢者や、幼児またはペットと入浴する人には非常に便利である。
【００７１】
前述の要素は個別でも、複数の組合せでも、前述のシステム以外の装置において利用できることは理解できよう。
【００７２】
本発明の新規な特徴について説明し、本発明の「請求の範囲」内で述べたが、これは前述の説明を限定するものではない。当業者であれば本発明の範囲から逸脱することなく、前述した本発明の構造および操作方法の省略形態、変形形態、代用形態および改変形態を実施できるであろう。
【００７３】
以上の説明は本発明の要点を十分に開示している。従って本発明を、従来技術の観点から、現在の知識を応用し、その特徴を省略することなく容易に多様な形態に利用することができ、本発明の一般的または特定的な特徴を構成できるであろう。
【図１】
2009540925.tif 000003
【図２】
2009540925.tif 000004
【図３】
2009540925.tif 000005
【図４】
2009540925.tif 000006
【図５】
2009540925.tif 000007
【図６】
2009540925.tif 000008
【図７】
2009540925.tif 000009
【図８】
2009540925.tif 000010
【図９】
2009540925.tif 000011
【図１０】
2009540925.tif 000012
【国際調査報告】
2009540925.tif 000013